(57)【要約】【課題】簡易で収納しやすいベッドで体動検知を行える体動検知ベッドを提供すること。【解決手段】本発明の体動検知ベッドは、４つの脚部１１と、脚部１１の間をつなぐ４つの棒材１２と、少なくとも対向する一対の棒材１２の間に配置されるシート１３とを有し、シート１３の裏面に体動を検知するセンサー２１を内蔵したセンサーマット２０を配置して、シート１３の裏面にセンサーマット用ポケット１３ｆを設け、センサーマット用ポケット１３ｆに、センサーマット２０を収納することを特徴とする。【選択図】        図１
2019213587.tif 000002
【特許請求の範囲】
【請求項１】
４つの脚部と、前記脚部の間をつなぐ４つの棒材と、少なくとも対向する一対の前記棒材の間に配置されるシートとを有する体動検知ベッドであって、
前記シートの裏面に体動を検知するセンサーを内蔵したセンサーマットを配置する
ことを特徴とする体動検知ベッド。
【請求項２】
前記シートの前記裏面にセンサーマット用ポケットを設け、
前記センサーマット用ポケットに、前記センサーマットを収納する
ことを特徴とする請求項１に記載の体動検知ベッド。
【請求項３】
前記センサーマットからの検出信号を受信し、受信した前記検出信号によって情報を出力するセンサーコントローラーと、
前記センサーコントローラーを保持するコントローラーホルダーと
を有し、
前記コントローラーホルダーを前記棒材に取り付ける
ことを特徴とする請求項１又は請求項２に記載の体動検知ベッド。
【請求項４】
前記コントローラーホルダーは、前記棒材に対して回動し、
前記コントローラーホルダーを回動させることで、前記センサーコントローラーを前記シートの前記裏面側に配置する
ことを特徴とする請求項３に記載の体動検知ベッド。
【請求項５】
前記センサーを圧電センサーとした
ことを特徴とする請求項１から請求項４のいずれか１項に記載の体動検知ベッド。
【請求項６】
前記センサーコントローラーは、
所定期間、前記体動を検知しないと無体動警報を出力する無体動警報手段と、
前記無体動警報手段を作動させない警報停止手段と
を有する
ことを特徴とする請求項３に記載の体動検知ベッド。
【請求項７】
請求項４に記載の体動検知ベッドの収納方法であって、
前記センサーマットを前記シートの前記裏面に配置し、前記センサーコントローラーを前記シートの前記裏面側に配置した状態で、
第１の前記体動検知ベッドの前記脚部に、第２の前記体動検知ベッドの前記脚部を載置することで、第１の前記体動検知ベッドに第２の前記体動検知ベッドを積載する
ことを特徴とする体動検知ベッドの収納方法。
【発明の詳細な説明】
【技術分野】
【０００１】
本発明は、就床者の体動を検知できる体動検知ベッドに関する。
【背景技術】
【０００２】
体動を検知できる装置として、例えば特許文献１では、水等の流動体が封入されている複数個の袋体からなるウォーターベッドにおいて、就床者の心臓が位置する袋体の表面にセンサを取り付けることを提案している。
また、特許文献２では、水や空気等の流体を封入した流体封入体と、流体封入体に設ける生体活動検出用センサーを備え、流体封入体を患者等の身体に巻き付け装着して用いることを提案している。
【先行技術文献】
【特許文献】
【０００３】
【特許文献１】特開平１０−１９２２４６号公報
【特許文献２】特開平１１−２６７１０６号公報
【発明の概要】
【発明が解決しようとする課題】
【０００４】
特許文献１及び特許文献２で提案されている装置では、保育施設での午睡中の乳幼児に対して簡便に午睡チェックを行うことができない。
【０００５】
本発明は、簡易で収納しやすいベッドで体動検知を行える体動検知ベッドを提供することを目的とする。
【課題を解決するための手段】
【０００６】
請求項１記載の本発明の体動検知ベッドは、４つの脚部１１と、前記脚部１１の間をつなぐ４つの棒材１２と、少なくとも対向する一対の前記棒材１２の間に配置されるシート１３とを有する体動検知ベッドであって、前記シート１３の裏面に体動を検知するセンサー２１を内蔵したセンサーマット２０を配置することを特徴とする。
請求項２記載の本発明は、請求項１に記載の体動検知ベッドにおいて、前記シート１３の前記裏面にセンサーマット用ポケット１３ｆを設け、前記センサーマット用ポケット１３ｆに、前記センサーマット２０を収納することを特徴とする。
請求項３記載の本発明は、請求項１又は請求項２に記載の体動検知ベッドにおいて、前記センサーマット２０からの検出信号を受信し、受信した前記検出信号によって情報を出力するセンサーコントローラー３０と、前記センサーコントローラー３０を保持するコントローラーホルダー４０とを有し、前記コントローラーホルダー４０を前記棒材１２に取り付けることを特徴とする。
請求項４記載の本発明は、請求項３に記載の体動検知ベッドにおいて、前記コントローラーホルダー４０は、前記棒材１２に対して回動し、前記コントローラーホルダー４０を回動させることで、前記センサーコントローラー３０を前記シート１３の前記裏面側に配置することを特徴とする。
請求項５記載の本発明は、請求項１から請求項４のいずれか１項に記載の体動検知ベッドにおいて、前記センサー２１を圧電センサーとしたことを特徴とする。
請求項６記載の本発明は、請求項３に記載の体動検知ベッドにおいて、前記センサーコントローラー３０は、所定期間、前記体動を検知しないと無体動警報を出力する無体動警報手段と、前記無体動警報手段を作動させない警報停止手段とを有することを特徴とする。
請求項７記載の本発明の体動検知ベッドの収納方法は、請求項４に記載の体動検知ベッドの収納方法であって、前記センサーマット２０を前記シート１３の前記裏面に配置し、前記センサーコントローラー３０を前記シート１３の前記裏面側に配置した状態で、第１の前記体動検知ベッドの前記脚部１１に、第２の前記体動検知ベッドの前記脚部１１を載置することで、第１の前記体動検知ベッドに第２の前記体動検知ベッドを積載することを特徴とする。
【発明の効果】
【０００７】
本発明によれば、シートの裏面にセンサーマットを配置するため、屎尿による汚染の影響が少なく、就床状態でもセンサーマットの取り付けや取り外しができ、４つの脚部と、脚部の間をつなぐ４つの棒材と、少なくとも対向する一対の棒材の間に配置されるシートとからなる、簡易で収納しやすいベッドで体動検知を行える。
【図面の簡単な説明】
【０００８】
【図１】本発明の一実施例における体動検知ベッドの全体図
【図２】同体動検知ベッドのシート及びセンサーマットを示す構成図
【図３】同体動検知ベッドのコントローラーホルダーを示す構成図
【図４】同体動検知ベッドの収納状態を示す全体図
【発明を実施するための形態】
【０００９】
本発明の第１の実施の形態による体動検知ベッドは、シートの裏面に体動を検知するセンサーを内蔵したセンサーマットを配置するものである。本実施の形態によれば、シートの裏面にセンサーマットを配置するため、屎尿による汚染の影響が少なく、就床状態でもセンサーマットの取り付けや取り外しができ、４つの脚部と、脚部の間をつなぐ４つの棒材と、少なくとも対向する一対の棒材の間に配置されるシートとからなる、簡易で収納しやすいベッドで体動検知を行える。
【００１０】
本発明の第２の実施の形態は、第１の実施の形態による体動検知ベッドにおいて、シートの裏面にセンサーマット用ポケットを設け、センサーマット用ポケットに、センサーマットを収納するものである。本実施の形態によれば、センサーマットの取り付け及び取り外しを容易に行える。
【００１１】
本発明の第３の実施の形態は、第１又は第２の実施の形態による体動検知ベッドにおいて、センサーマットからの検出信号を受信し、受信した検出信号によって情報を出力するセンサーコントローラーと、センサーコントローラーを保持するコントローラーホルダーとを有し、コントローラーホルダーを棒材に取り付けるものである。本実施の形態によれば、床面やシート上にセンサーコントローラーを置く場合に生じる、センサーコントローラーの破損や誤操作を防止でき、センサーコントローラーから出力される情報を正しく把握することができる。
【００１２】
本発明の第４の実施の形態は、第３の実施の形態による体動検知ベッドにおいて、コントローラーホルダーは、棒材に対して回動し、コントローラーホルダーを回動させることで、センサーコントローラーをシートの裏面側に配置するものである。本実施の形態によれば、センサーコントローラーをシートの裏面側に配置できるため、センサーコントローラーを取り付けた状態で体動検知ベッドの収納を容易に行える。
【００１３】
本発明の第５の実施の形態は、第１から第４のいずれかの実施の形態による体動検知ベッドにおいて、センサーを圧電センサーとしたものである。本実施の形態によれば、シートに伝わる体動を正確に検知することができる。
【００１４】
本発明の第６の実施の形態は、第３の実施の形態による体動検知ベッドにおいて、センサーコントローラーは、所定期間、体動を検知しないと無体動警報を出力する無体動警報手段と、無体動警報手段を作動させない警報停止手段とを有するものである。本実施の形態によれば、無体動状態を検知できるとともに、就床者不在状態での無体動警報の出力を停止することができる。
【００１５】
本発明の第７の実施の形態による体動検知ベッドの収納方法は、第４の実施の形態による体動検知ベッドの収納方法において、センサーマットをシートの裏面に配置し、センサーコントローラーをシートの裏面側に配置した状態で、第１の体動検知ベッドの脚部に、第２の体動検知ベッドの脚部を載置することで、第１の体動検知ベッドに第２の体動検知ベッドを積載するものである。本実施の形態によれば、センサーマット及びセンサーコントローラーを取り付けた状態で体動検知ベッドを積み重ねて収納することができる。
【実施例】
【００１６】
以下に、本発明の体動検知ベッドの一実施例について説明する。
図１は本発明の一実施例における体動検知ベッドの全体図であり、図１（ａ）は同体動検知ベッドの斜視図、図１（ｂ）は同体動検知ベッドの側面図、図１（ｃ）は同体動検知ベッドの上面図である。
【００１７】
図１に示すように、本実施例における体動検知ベッドは、４つの脚部１１と、脚部１１の間をつなぐ４つの棒材１２と、少なくとも対向する一対の棒材１２の間に配置されるシート１３とを有する。棒材１２は、一対の対向する短棒材１２ａ、１２ｂと、一対の対向する長棒材１２ｃ、１２ｄとで構成される。
本実施例における体動検知ベッドは、体動を検知するセンサー２１（図２参照）を内蔵したセンサーマット２０（図２参照）と、センサーマット２０からの検出信号を受信し、受信した検出信号によって情報を出力するセンサーコントローラー３０と、センサーコントローラー３０を保持するコントローラーホルダー４０とを有する。
コントローラーホルダー４０は棒材１２に取り付ける。
【００１８】
図２は同体動検知ベッドのシート及びセンサーマットを示す構成図であり、図２（ａ）は同体動検知ベッドのシートの展開上面図、図２（ｂ）は同体動検知ベッドのセンサーマットの斜視図、図２（ｃ）は同センサーマットの内部を示す構成図である。
【００１９】
シート１３の外周には、短棒材１２ａ（図１参照）に取り付ける短耳部１３ａ、短棒材１２ｂ（図１参照）に取り付ける短耳部１３ｂ、長棒材１２ｃ（図１参照）に取り付ける長耳部１３ｃ、及び長棒材１２ｄ（図１参照）に取り付ける長耳部１３ｄを備えている。
短耳部１３ａには、短棒材１２ａに取り付ける際に短棒材１２ａの一部を露出させるための切り欠き部１３ｅが形成されている。この切り欠き部１３ｅによって露出する短棒材１２ａにコントローラーホルダー４０が取り付けられる。
シート１３の裏面には、センサーマット用ポケット１３ｆを設けている。センサーマット用ポケット１３ｆは、短耳部１３ａ側の一辺を開口とし、他の三辺を閉塞している。
センサーマット２０は、センサーマット用ポケット１３ｆに収納される。センサーマット用ポケット１３ｆにセンサーマット２０を収納することで、センサーマット２０の取り付け及び取り外しを容易に行える。
シート１３及びセンサーマット用ポケット１３ｆには、例えばポリエステル繊維を用いる。
図２（ｂ）及び図２（ｃ）に示すセンサーマット２０は、体動を検知するセンサー２１として２つの圧電センサーを内部に設けている。圧電センサーを用いることでシート１３に伝わる体動を正確に検知することができる。センサー２１は一つでもよいが、複数のセンサー２１を設けることで、体動の回数だけでなく体動の大きさも高い精度で検知することができる。
このように、シート１３の裏面にセンサーマット２０を配置するため、屎尿による汚染の影響が少なく、就床状態でもセンサーマット２０の取り付けや取り外しができ、簡易で収納しやすいベッドで体動検知を行える。
【００２０】
図３は同体動検知ベッドのコントローラーホルダーを示す構成図であり、図３（ａ）は同コントローラーホルダーの斜視図、図３（ｂ）は同コントローラーホルダーでセンサーコントローラーを保持した状態を示す斜視図、図３（ｃ）は同コントローラーホルダーの動作を示す構成図である。
【００２１】
コントローラーホルダー４０は、センサーコントローラー３０を保持する保持部４１と、棒材１２に取り付ける腕部４２とからなる。保持部４１は、少なくとも両側面と背面に立上壁を有し、これらの立上壁によって囲まれる空間にセンサーコントローラー３０を保持する。保持部４１の底面に腕部４２の一端が接続され、腕部４２の他端にはリング部４２ａが形成されている。コントローラーホルダー４０は、このリング部４２ａによって棒材１２に取り付ける。
このようなコントローラーホルダー４０によってセンサーコントローラー３０を保持することで、床面やシート１３上にセンサーコントローラー３０を置く場合に生じる、センサーコントローラー３０の破損や誤操作を防止でき、センサーコントローラー３０から出力される情報を正しく把握することができる。
なお、センサーコントローラー３０は、所定期間、体動を検知しないと無体動警報を出力する無体動警報手段（図示せず）と、無体動警報手段を作動させない警報停止手段（図示せず）とを有しており、無体動状態を検知できるとともに、就床者不在状態での無体動警報の出力を停止することができる。
コントローラーホルダー４０は、棒材１２に対して回動することができる。
図３（ｃ）に示すように、体動検知の作動時（就床時）にはコントローラーホルダー４０Ａを棒材１２よりも上方に位置させることができ、体動ベッドの収納時にはコントローラーホルダー４０Ｂをシート１３の裏面側に配置することができる。
このように、コントローラーホルダー４０を回動させることで、センサーコントローラー３０をシート１３の裏面側に配置できるため、センサーコントローラー３０を取り付けた状態で体動検知ベッドの収納を容易に行える。
【００２２】
図４は同体動検知ベッドの収納状態を示す全体図であり、図４（ａ）は同体動検知ベッドの収納状態を示す斜視図、図４（ｂ）は同体動検知ベッドの収納状態を示す側面図である。
【００２３】
本実施例における体動検知ベッドは、センサーマット２０をシート１３の裏面に配置し、センサーコントローラー３０をシート１３の裏面側に配置した状態で、第１の体動検知ベッドの脚部１１に、第２の体動検知ベッドの脚部１１を載置することで、第１の体動検知ベッドに第２の体動検知ベッドを積載することができる。
このように本実施例によれば、センサーマット２０及びセンサーコントローラー３０を取り付けた状態で体動検知ベッドを積み重ねて収納することができる。
【産業上の利用可能性】
【００２４】
本発明による体動検知ベッドは、特に保育施設での午睡中の乳幼児に対する安全対策に適している。
【符号の説明】
【００２５】
１１  脚部
１２  棒材
１２ａ、１２ｂ  短棒材
１２ｃ、１２ｄ  長棒材
１３  シート
１３ａ、１３ｂ  短耳部
１３ｃ、１３ｄ  長耳部
１３ｅ  切り欠き部
１３ｆ  センサーマット用ポケット
２０  センサーマット
２１  センサー
３０  センサーコントローラー
４０、４０Ａ、４０Ｂ  コントローラーホルダー
４１  保持部
４２  腕部
４２ａ  リング部
【図１】
2019213587.tif 000003
【図２】
2019213587.tif 000004
【図３】
2019213587.tif 000005
【図４】
2019213587.tif 000006